(57)【要約】【課題】  記録紙上に転写されたトナー像の領域のみを正確に選択加熱して、定着処理の熱効率を上げるとともに高画質の画像が得られるようにする。【解決手段】  搬送部３が荷電ローラ１７によって帯電された記録紙５を転写ベルト３１に密着させて搬送し、感光体１１上に形成されたトナー像を転写ローラ１４の作用によって記録紙５上に転写し、定着部２がその転写開始から所定時間後に定着レーザ光の照射を開始して、選択加熱位置Ｄにおいて記録紙５上のトナー像の領域のみを正確に選択加熱して、そのトナー像を記録紙５に定着させる。【選択図】        図１
2005099320.tif 000002
【特許請求の範囲】
【請求項１】
記録紙を搬送する搬送手段と、該搬送手段によって搬送される記録紙に感光体上に形成されたトナー像を転写する転写手段と、該転写手段によって転写された未定着のトナー像を前記記録紙上に定着させる定着手段とを備えた画像形成装置において、
前記搬送手段は、記録紙を搬送部材に密着させて搬送する密着搬送手段であり、
前記定着手段は、前記密着搬送手段における前記転写手段よりも記録紙の搬送方向下流側で、該密着搬送手段の前記搬送部材上に密着して搬送される記録紙の全域又は所定の領域を選択的に加熱する手段であることを特徴とする画像形成装置。
【請求項２】
請求項１記載の画像形成装置において、
前記定着手段が選択的に加熱する記録紙の領域が、前記トナー像が転写された領域と略一致することを特徴とする画像形成装置。
【請求項３】
請求項１又は２記載の画像形成装置において、
前記定着手段がレーザ光照射手段であることを特徴とする画像形成装置。
【請求項４】
請求項１乃至３のいずれか一項に記載の画像形成装置において、
前記転写手段に対して記録紙の搬送方向上流側に、記録紙の搬送を一旦停止させた後、該記録紙に対する画像形成開始位置が前記感光体上に形成されたトナー像の先端と前記転写手段による転写位置で一致するタイミングで、該記録紙を前記搬送手段へ搬送するレジストローラを設けている画像形成装置。
【請求項５】
請求項４記載の画像形成装置において、
前記レジストローラを、前記密着搬送手段の搬送部材上における前記転写位置よりも記録紙の搬送方向上流側の所定位置に設けたことを特徴とする画像形成装置。
【請求項６】
請求項１乃至５のいずれか一項に記載の画像形成装置において、
前記密着搬送手段は、記録紙を前記搬送部材に静電的に吸着させるために帯電させる帯電付与手段を設けていることを特徴とする画像形成装置。
【請求項７】
請求項６記載の画像形成装置において、
前記帯電付与手段を、前記密着搬送手段における前記転写手段による転写位置よりも記録紙の搬送方向上流側の部位に設けたことを特徴とする画像形成装置。
【請求項８】
請求項１乃至７のいずれか一項に記載の画像形成装置において、
前記密着搬送手段に記録紙の先端を検知する記録紙検知手段を設け、前記定着手段は、前記記録紙検知手段が記録紙の先端を検知してから所定時間経過後に前記密着搬送手段の搬送部材に密着して搬送される前記記録紙を加熱する手段であることを特徴とする画像形成装置。
【請求項９】
請求項８記載の画像形成装置において、
前記記録紙検知手段を、前記転写手段による転写位置と前記定着手段による選択加熱位置との間に設けたことを特徴とする画像形成装置。
【請求項１０】
請求項９記載の画像形成装置において、
前記密着搬送手段の前記転写手段による転写位置よりも記録紙の搬送方向上流側に前記記録紙検知手段とは別の記録紙検知手段を設け、該記録紙検知手段が記録紙の先端を検知したときに、前記感光体にレーザ光による画像の書き込みを開始する手段を有することを特徴とする画像形成装置。
【請求項１１】
請求項１乃至７のいずれか一項に記載の画像形成装置において、
前記密着搬送手段の搬送部材上の通紙域外又は記録紙間となる部位に所定の画像パターンを設け、該密着搬送手段の固定部にその画像パターンを検知する画像パターン検知手段を設け、前記定着手段は、該画像パターン検知手段が前記画像パターンを検知してから所定時間経過後に前記搬送部材に密着して搬送される記録紙を加熱する手段であることを特徴とする画像形成装置。
【請求項１２】
請求項１１記載の画像形成装置において、
前記画像パターン検知手段を、前記転写手段による転写位置と前記定着手段による選択加熱位置との間に設けたことを特徴とする画像形成装置。
【請求項１３】
請求項１乃至１２のいずれか一項に記載の画像形成装置において、
前記定着手段に対して記録紙の搬送方向下流側に、記録紙のトナー像が定着された面に残存する未定着トナーを回収する未定着トナー回収手段を設けたことを特徴とする画像形成装置。
【請求項１４】
請求項１３記載の画像形成装置において、
前記未定着トナー回収手段が、未定着のトナーの帯電極性と逆極性の電圧が印加され、記録紙のトナー像が定着された面に当接する当接部材を備え、未定着トナーを静電吸着して回収する手段であることを特徴とする画像形成装置。
【請求項１５】
請求項１４記載の画像形成装置において、
前記当接部材が回転体であり、該回転体に対して前記記録紙を挟んで転接する加圧回転体を設けたことを特徴とする画像形成装置。
【請求項１６】
請求項１５記載の画像形成装置において、
前記回転体が前記密着搬送手段の搬送部材上に設けられ、前記加圧回転体が前記密着搬送手段の回転体を兼ねていることを特徴とする画像形成装置。
【請求項１７】
請求項１４乃至１６のいずれか一項に記載の画像形成装置において、
前記未定着トナー回収手段よりも記録紙搬送方向の上流側に、前記転写手段によって転写されたトナーを同一極性に帯電させる帯電手段を設けたことを特徴とする画像形成装置。
【発明の詳細な説明】
【技術分野】
【０００１】
この発明は、記録紙上に転写した未定着のトナー像のトナーを熱によって溶融して記録紙に浸透および定着させる定着部を備えた電子写真方式の複写機，プリンタ，ファクシミリ（ＦＡＸ）装置，デジタル複合機などの画像形成装置に関する。
【背景技術】
【０００２】
複写機，プリンタ，ファクシミリ（ＦＡＸ）装置，デジタル複合機などの電子写真方式の画像形成装置は、記録紙上にモノクロあるいはカラーのトナー像を転写する画像形成部と、その画像形成部で転写された未定着のトナー像のトナーを溶融して記録紙に浸透および定着させる処理（以下、単に「定着処理」と云う）を行なう定着部とを搭載している。
この定着部で行なう定着処理の方式としては、発熱源を持つ定着ローラとその定着ローラに圧接する加圧ローラ又はベルトなどを用いた熱圧定着方式が一般的である。その熱圧定着方式では、発熱した定着ローラが加圧ローラ又はベルトとのニップ部で記録紙を挟持しつつ回転し、記録紙を加熱及び加圧しながら搬送方向下流側へ送り出すことによって定着処理を行なう。
【０００３】
しかし、この熱圧定着方式の場合、定着ローラが記録紙上のトナーだけを加熱するのではなく、記録紙全体を加熱してしまう。そのうえ、定着ローラは、加圧ローラ又はベルトの記録紙を搬送していない部分（紙間や紙幅以外の非通紙領域にあたる部分）も加熱してしまう。これらのトナー以外の部分を加熱する熱エネルギーはトナーの溶融および定着に直接的には寄与しないため、この方式による定着処理は熱エネルギーの損失が生じることになる。
また、熱圧定着方式の場合、画像形成装置の立ち上げ時や待機時など実際に定着処理を行なっていないときにも定着ローラの発熱源を発熱させて、定着ローラの表面温度を短時間で定着処理に適した所定の温度にできるように保つ必要があった。それでも、画像形成装置の立ち上げ時には、定着ローラが所定の温度に到着するまで、ユーザはプリントの実行を待つ必要があった。
【０００４】
そこで、これらの点を改善した新しい定着処理の方式として、記録紙（または転写体，転写定着体）上のトナー像が転写された部分にだけ選択的に熱エネルギーを加えるようにした定着処理が開発され始めている
例えば、特許文献１に記載されているように、トナー像を転写した記録紙を定着ドラムに巻き付けて、記録紙の先端を検知する先端検知センサからの信号によって記録紙上に形成した未定着のトナー像の部分に同期させて定着用レーザを走査し、トナー像のトナーを記録紙上に定着させるようにした定着装置がある。
【０００５】
【特許文献１】特開２０００−３３８８００号公報  なお、この定着装置では、定着用レーザの照射位置より定着ドラムの回転方向下流側にクリーニング装置を設け、そのクリーニング装置で定着後の記録紙上に残る未定着トナーを除去するようにしているため、記録紙の地肌汚れも防止できる。
【発明の開示】
【発明が解決しようとする課題】
【０００６】
しかしながら、このように記録紙上のトナー像が転写された部分にだけに選択的に熱エネルギーを加えるようにする場合、記録紙上に転写されたトナー像の位置と熱エネルギーを加える加熱位置とがズレてしまうと、記録紙上のトナー像の一部が未定着になって記録紙上に形成した画像の画質が低下してしまうという問題点があった。
【０００７】
そして、上記特許文献１に記載されているような従来の定着用レーザを照射してトナー像を記録紙に定着させる画像形成装置では、記録紙にトナーを転写した後、その記録紙を定着装置へ搬送して定着ドラムに巻きつけて定着処理を行なっているので、記録紙がトナー像を転写した位置から定着ドラムに巻き付いて固定されるまでの搬送経路中でスリップおよびスキューが生じ易く、さらにその搬送軌跡もばらつきやすい。そのため、記録紙上の未定着のトナー像の部分に精度良く同期させて定着用レーザを照射するのは困難であるという問題点があった。
【０００８】
この発明は上記の問題点に鑑みてなされたものであり、定着処理の熱効率を上げるとともに、トナー像が転写された記録紙の搬送中にスリップやスキューあるいは搬送軌跡のばらつき等が生じないようにして、記録紙上の未定着のトナー像の位置と選択加熱位置とのズレを低減し、高画質の画像が得られるようにすることを目的とする。
【課題を解決するための手段】
【０００９】
この発明は、記録紙を搬送する搬送手段と、その搬送手段によって搬送される記録紙に感光体に形成されたトナー像を転写する転写手段と、その転写手段によって転写された未定着のトナー像を上記記録紙上に定着させる定着手段とを備えた画像形成装置において、上記の目的を達成するため、次のように構成したものである。
すなわち、上記搬送手段を、記録紙を搬送部材に密着させて搬送する密着搬送手段とし、上記定着手段を、密着搬送手段における転写手段よりも記録紙の搬送方向下流側で、その密着搬送手段の搬送部材上に密着して搬送される記録紙の全域又は所定の領域を選択的に加熱する手段とした。
【００１０】
上記定着手段が選択的に加熱する記録紙の領域が、トナー像が転写された領域と略一致するようにするのが望ましい。また、その定着手段としてレーザ光照射手段を用いるとよい。
さらに、上記転写手段に対して記録紙の搬送方向上流側に、記録紙の搬送を一旦停止させた後、その記録紙に対する画像形成開始位置が上記感光体上に形成されたトナー像の先端と上記転写手段による転写位置で一致するタイミングで、その記録紙をその転写位置へ搬送するレジストローラを設けるとよい。
このレジストローラを、密着搬送手段の搬送部材上における上記転写位置よりも記録紙の搬送方向上流側の所定位置に設けることができる。
【００１１】
また、密着搬送手段には、記録紙を搬送部材に静電的に吸着させるために帯電させる帯電付与手段を設けるとよい。そして、その帯電付与手段を、密着搬送手段における転写手段による転写位置よりも記録紙の搬送方向上流側の部位に設けることができる。
さらに、密着搬送手段に記録紙の先端を検知する記録紙検知手段を設け、上記定着手段が、記録紙検知手段が記録紙の先端を検知してから所定時間経過後に密着搬送手段の搬送部材に密着して搬送される記録紙を加熱するようにしてもよい。
【００１２】
その記録紙検知手段を、転写手段による転写位置と定着手段による選択加熱位置との間に設けるとよい。さらに、密着搬送手段の転写手段による転写位置よりも記録紙の搬送方向上流側に別の記録紙検知手段を設け、その記録紙検知手段が記録紙の先端を検知したときに、感光体にレーザ光による画像の書き込みを開始するようにしてもよい。
【００１３】
あるいは、密着搬送手段の搬送部材上の通紙域外又は記録紙間となる部位に所定の画像パターンを設け、密着搬送手段の固定部にその画像パターンを検知する画像パターン検知手段を設け、上記定着手段が、画像パターン検知手段が画像パターンを検知してから所定時間経過後に搬送部材に密着して搬送される記録紙を加熱するようにしてもよい。
その画像パターン検知手段を、転写手段による転写位置と定着手段による選択加熱位置との間に設けるとよい。
【００１４】
さらに、上記定着手段に対して記録紙の搬送方向下流側に、記録紙のトナー像が定着された面に残存する未定着トナーを回収する未定着トナー回収手段を設けるのが望ましい。
その未定着トナー回収手段を、未定着のトナーの帯電極性と逆極性の電圧が印加され、記録紙のトナー像が定着された面に当接する当接部材を備え、未定着トナーを静電吸着して回収する手段にするとよい。
【００１５】
上記当接部材を回転体とし、その回転体に対して記録紙を挟んで転接する加圧回転体を設けるとよい。その回転体を密着搬送手段の搬送部材上に設けて、上記加圧回転体としてその密着搬送手段の回転体を兼用することもできる。
このように、未定着トナーを静電吸着して回収する未定着トナー回収手段を設ける場合、その未定着トナー回収手段よりも記録紙搬送方向の上流側に、転写手段によって転写された記録紙上あるいは中間転写材上のトナーを同一極性に帯電させる帯電手段を設けるとなおよい。
【発明の効果】
【００１６】
この発明によれば、定着処理の熱効率を上げるとともに、トナー像が転写された記録紙の搬送中にスリップやスキューあるいは搬送軌跡のばらつき等が殆ど生じないので、記録紙上の未定着のトナー像の位置と選択加熱位置とのズレを低減し、高画質の画像が得られる。
【発明を実施するための最良の形態】
【００１７】
以下、この発明の好ましい実施の形態を図面を参照して説明する。
〔第１実施例〕
図１は、この発明による画像形成装置の第１実施例の要部を模式的に示す構成図である。この図１では、画像形成装置の作像部付近のこの発明に関係する部分のみを示し、それ以外の部分、例えば給紙部，画像読取部，画像書込部などの図示は省略している。これは、以下の図２〜図８および図１０〜図１９についても同様とする。
【００１８】
この画像形成装置はモノクロの画像形成装置であり、作像部１と、定着手段である定着部２と、密着搬送手段である搬送部３と、対のレジストローラ４とを備えている。
作像部１は、ドラム状の感光体１１とその周囲に配置された帯電ローラ１２，現像装置１３，転写ローラ１４，クリーニング装置１５と、図示していない画像書込部の露光ユニット等からなる。
【００１９】
搬送部３は、記録紙の搬送方向の上流側のレジストローラ４に近い位置と、下流側の定着位置の後方に配置された一対の接地ローラ３２，３３と、その間に張装された搬送部材を兼ねた転写ベルト３１からなり、接地ローラ３２，３３は金属製でそれぞれ接地されている。
転写ローラ１４は、感光体１１と転写ベルト３１を挟むように転写ベルト３１の内側に設けられており、電源Ｅ１によって正（＋）電圧が印加されている。この転写ローラ１４と転写ベルト３１によって転写手段を構成している。転写ベルト３１は使用可能な記録紙の紙幅よりも広い幅を有する非導電材による無端状のベルトである。
【００２０】
また、搬送部３の上流側の接地ローラ３２に対して転写ベルト３１を挟んで上側に、帯電付与手段である荷電ローラ１７が設けられ、電源Ｅ２によって正（＋）電圧が印加されている。この荷電ローラ１７への印加電圧は直流でも交流でも、その組み合わせでもよいが、この実施例では、負極性に帯電したトナーを正の転写電界によって記録紙に転写するので、直流の正極性にしている。
【００２１】
作像部１は、作像時にはドラム状の感光体１１が矢示Ａ方向に回転し、図示していない高圧電源によって帯電電圧が印加された帯電ローラ１２によってその感光体１１の表面を一様に帯電させる。その帯電された感光体１１の表面を、図示していない画像書込部の露光ユニットから照射される書込みレーザ光Ｌ１によって露光し、感光体１１の表面に静電潜像を形成する。
【００２２】
この書込みレーザ光Ｌ１は、形成したい画像の画像データに基づいてＯＮ／ＯＦＦされる、その画像データは、例えば画像読取部が原稿の画像を光学的に読み取って電気信号に変換した画像データ、あるいは画像形成装置に接続したパーソナルコンピュータ等の外部装置から受信した画像データなどである。通常、画像形成装置は読み取った画像データまたは受信した画像データを一旦画像メモリに格納した後、その画像メモリから必要な画像データを読み出して画像形成を行なう。
【００２３】
感光体１１上に形成された静電潜像は、現像装置１３によって現像剤であるトナーを付着されて現像され、感光体１１の表面にトナー像が形成される。
一方、図示していない給紙部から給紙された記録紙（転写紙）５は、レジストローラ４に挟持されて一端停止され、その後、その記録紙５に対する画像形成開始位置が、感光体１１上に形成されたトナー像の先端とが、感光体１１と転写ローラ１４とのニップ部である転写位置Ｐで一致するように、レジストローラ４によって搬送部３へ搬送される。
【００２４】
レジストローラ４は記録紙５の巻き付きを防止するため、小径（好ましくはφ１６以下）のローラが望ましい。さらに、紙粉やゴミなどが付着しないような防止策を講じるとよい。例えば、ローラの表面に離型装を設けるか、紙粉やゴミなどの除去手段を設ける。
その記録紙５に荷電ローラ１７が正電荷を帯電させ、接地ローラ３２によって接地電位にされた搬送部材を兼ねた転写ベルト３１にその記録紙５が吸着されて密着し、図示しない駆動モータによる転写ベルト３１の矢示Ｂ方向への回動に伴なって同方向へ搬送される。
【００２５】
そして、その記録紙５に対する画像形成開始位置が転写位置Ｐで感光体１１上に形成されたトナー像の先端と一致し、転写ローラ１４による転写電界の作用によって、感光体１１上のトナー像が記録紙５上に転写される。
転写後に感光体１１の表面に残留したトナーはクリーニング装置１５によって除去され、図示しない除電装置で感光体１１の表面の残留電荷も除去されて、次の作像に備える。
【００２６】
ところで、荷電ローラ１７は、定着部２による選択加熱位置Ｄよりも記録紙の搬送方向上流側（図１で右方側）に設ける必要があるが、この実施例のように、転写ローラ１４等による転写位置Ｐよりも更に搬送方向上流側に配設するようにするとよい。このようにすれば、記録紙５を予め転写ベルト３１に吸着させた状態（密着状態）で転写位置Ｐへ搬送できるので、転写位置Ｐまで記録紙５が搬送される間のスリップも防止でき、記録紙５上の正確な位置にトナー像を転写することができる。
【００２７】
次に定着部２について説明する。この実施例における定着手段である定着部２はレーザ光照射手段であり、搬送部３上の転写位置Ｐよりも記録紙の搬送方向下流側（図１で左方側）の選択加熱位置Ｄで、転写ベルト３１上に密着して搬送される記録紙５の全域又は所定の領域を選択的に定着レーザ光Ｌ２を照射することによって加熱し、記録紙５上の未定着のトナーを溶融して定着させる。
【００２８】
このとき、前述した書込レーザ光Ｌ１の基になった画像データ、つまり作像部１で記録紙５に転写したトナー画像の画像データに基づいて、定着部２が定着レーザ光Ｌ２を生成し、その記録紙５に所定のタイミングで照射するとよい。なお、この場合の所定のタイミングとは、レジストローラ４によって記録紙５が搬送開始されてから、その記録紙５上のトナー像の先端が選択加熱位置Ｄに到達するタイミングであり、定着部２がそのタイミングで定着レーザ光Ｌ２の照射を開始する。
【００２９】
このようにすれば、定着レーザ光Ｌ２が選択的に加熱する記録紙５上の所定領域と、記録紙５上のトナー像を転写した領域とを略一致させることができる。
なお、図１では、記録紙５上の未定着のトナーＴ１と定着されたトナーＴ２との区別を分かり易くするために、その厚みを強調して異ならせて示しているが、実際のトナーの厚みは未定着と定着とに係らず、記録紙の紙厚と比較して非常に薄く図示できない程度である。
【００３０】
トナー像が定着された記録紙５は、図示しない排出ローラ等によって搬送されて、画像形成装置の機外に排出されるか、または両面搬送路を介して再度レジストローラ４まで搬送され、上述した画像形成シーケンスが繰り返えされて裏面にも画像が形成される。
この実施例によれば、記録紙を搬送部材である転写ベルト３１に密着させた状態で搬送しながら転写処理および定着処理を行なえるので、転写位置Ｐから選択加熱位置Ｄまでの搬送経路中でもスリップやスキューが生じることがなく、記録紙の搬送軌跡はばらつかない。
【００３１】
従って、記録紙上に転写されたトナー像の位置と定着部によって熱エネルギーを加える位置とがズレ難く、記録紙上のトナー像の一部が未定着になって画質が低下してしまうのを防ぐことができる。
さらに、記録紙上の未定着のトナーＴ１に精度良く同期させて定着用レーザを照射するのが容易になり、記録紙上の加熱したい部分のみを選択的に加熱することができるので、定着には直接関係しない無駄な部分への加熱による熱エネルギーの損失を抑えることもできる。
【００３２】
なお、この実施例では、定着部２にレーザ光照射手段を用いて、記録紙上のトナー像に定着レーザ光を照射することによって定着処理を行なう場合について説明した。しかし、定着手段はこれに限るものではなく、例えばサーマルヘッド、セル状に分割された通電発熱体、規則的に配列した複数のランプなどを用いてもよい。このようにしても、記録紙の所定の領域を選択的に加熱することができる。
【００３３】
また、それらの定着手段が記録紙上のトナー像のみを加熱するようにすれば無駄な熱エネルギーの損失が無く、定着処理の熱効率を一層上げることができる。しかし、定着手段が選択的に加熱する記録紙Ｐの所定領域は、トナー像を転写した位置と略一致する領域に限るものではない。例えば、記録紙の略全域に亘って画像が形成されるような場合には、記録紙のほぼ全域を加熱するようにしてもよい。その場合でも、定着手段は転写ベルト３１の非通紙領域や記録紙間に相当する部分は加熱しないので、その分だけ無駄な熱エネルギーの消費を抑えることができる。
【００３４】
さらに、この実施形態では、転写ベルト３１に記録紙５を密着させる手段の一例として、荷電ローラ１７を接地ローラ３２と転写ベルト３１を介して対向する位置に設けたが、これに限るものではなく、選択加熱位置Ｄよりも記録紙の搬送方向上流側で記録紙に接する位置であればどこに設けてもよい。しかし、なるべく記録紙搬送方向の上流に設けた方がよいことは、前述したとおりである。
また、荷電ローラ以外の弾性金属片や導電ブラシなどによる帯電付与手段を用いて記録紙を帯電させるようにしてもよい。さらに、帯電付与手段を使用せずに、負圧によって記録紙を搬送部材に吸着させたり、爪によるクランプで記録紙を搬送部材に固定したりするようにしてもよい。
【００３５】
また、この実施形態では、搬送部３よりも記録紙の搬送方向上流側にレジストローラ４を配設した場合について示したが、このレジストローラ４は本発明に必須のものではない。例えば記録紙が連続紙の場合など作像部での転写のタイミングが多少ずれても良いような場合にはレジストローラは設けなくてもよい。あるいは、レジストローラ４を搬送部３の中に設けて、そのニップ部で転写ベルト３１を挟持するようにしてもよい。さらに、後述する図５に示す実施例のように、接地ローラ３２と荷電ローラ１７とによってレジストローラの機能を兼ねるようにしてもよい。
【００３６】
〔第２実施例〕
次に、この発明による画像形成装置の第２実施例を説明する。図２はその画像形成装置の図１と同様な構成図であり、図１と対応する部分には同一の符号を付加し、それらの説明を省略する。
【００３７】
この画像形成装置は、図１に示した作像部１と同様な構成の作像部が、搬送部３の転写ベルト３１に沿って一列に４個並んで設けられた４連タンデム方式のカラー画像形成装置である。その作像部１Ｍ，１Ｃ，１Ｙ，１Ｋは、それぞれマゼンタ用、シアン用、イエロー用、およびブラック用である。いずれもドラム状の感光体１１と転写ローラ１４だけを示しているが、実際には図１に示した帯電ローラ１２、現像装置１３、およびクリーニング装置１５もそれぞれ設けられている。そして、現像装置１３に収容しているトナーの色だけが各作像部１Ｍ，１Ｃ，１Ｙ，１Ｋによって、マゼンタ、シアン、イエロー、ブラックと異なっている。
【００３８】
各作像部１Ｍ，１Ｃ，１Ｙ，１Ｋの感光体１１は、それぞれ図示を省略した帯電ローラによって表面が一様に帯電された後、マゼンタ，シアン，イエロー，ブラックの各画像成分に応じた書込レーザ光ＬＭ，ＬＣ，ＬＹ，ＬＫが照射されて静電潜像が形成され、図示を省略した各色用の現像装置によって現像され、その表面上にマゼンタ，シアン，イエロー，ブラックの各トナー像が形成される。
【００３９】
一方、一対のレジストローラ４によって所定のタイミングで搬送部３に搬送される記録紙５は、第１実施例の場合と同様に荷電ローラ１７によって帯電され、転写ベルト３１に吸着して矢示Ｂ方向に搬送され、各作像部１Ｍ，１Ｃ，１Ｙ，１Ｋの感光体１１と転写ローラ１４とのニップ部である転写位置で、マゼンタ、シアン、イエロー、ブラックの各トナー像が順次重ねて転写される。
その後、記録紙５は転写ベルト３１に密着した状態のまま定着部２に搬送され、定着部２によって選択加熱位置Ｄで定着レーザ光Ｌ２が選択的に照射され、記録紙５上の未定着の４色のトナーが加熱されて定着される。
【００４０】
したがって、このカラー画像形成装置の場合も、図１に示した第１実施例の画像形成装置の場合と同様に、記録紙５を転写ベルト３１に密着させた状態で搬送しながら転写処理および定着処理を行なうことができるので、記録紙５上に転写されたカラートナー像の位置と選択加熱位置とがズレ難い。従って、熱エネルギーの損失を抑えながら高画質のカラー画像を得ることができる。
【００４１】
〔第３実施例〕
次に、この発明による画像形成装置の第３実施例について説明する。図３はその画像形成装置の要部を模式的に示す構成図であり、図１と対応する部分には同一の符号を付している。これは転写ドラム方式のカラー画像形成装置であり、図１に示した第１実施例における搬送部３に代えて密着搬送手段の搬送部材を兼ねた転写ドラム３５を備えた搬送部６を設けている。この転写ドラム３５は矢示Ｆ方向に回転し、転写ローラ１４をその内周面に転接させてドラム状の感光体１１と対向する位置に配設し、定着部２による選択加熱位置Ｄに対応する内周位置に接地ローラ３６を設けて、転写ドラム３５を接地電位にしている。
【００４２】
また、転写ドラム３５の外周面のレジストローラ４によって記録紙５が搬送される位置に対向して、荷電ローラ１７が配設され、レジストローラ４によって搬送されてくる記録紙５を正電位に帯電させ、接地ローラ３６によって接地電位になって回転してくる転写ドラム３５にその記録紙を密着させる。
【００４３】
感光体１１を挟んで転写ドラム３５と反対側に、リボルバタイプの現像装置１６が配設されている。この現像装置は、それぞれマゼンタ、シアン、イエロー、およびブラックのトナーを収容した４個の現像器１６Ｍ，１６Ｃ，１６Ｙ，１６Ｋが回転部材に取り付けられており、順次感光体１１に接近する位置に切り替え移動できるようになっている。
感光体１１の周囲には図１に示したように帯電ローラ１２とクリーニング装置１５も設けられているが、図示を省略している。
【００４４】
この画像形成装置は、感光体１１の表面に順次マゼンタ、シアン、イエロー、およびブラックの各画像成分に応じた静電潜像が形成され、それがリボルバタイプの現像装置１６の各現像器１６Ｍ，１６Ｃ，１６Ｙ，１６Ｋによって順番に現像され、そのトナー像がレジストローラ４によって所定のタイミングで転写ドラム３５に搬送され、それに密着して矢示Ｆ方向に搬送される記録紙５に、感光体１１と転写ローラ１４とが対向する転写位置で１色ずつ転写され、その記録紙５を循環させて４回転写位置Ｐを通過させることによって、４色のトナー像を重ね合わせ、その後選択過熱位置Ｄにおいて定着部２によって定着レーザ光を照射して、そのトナー像を加熱し定着する。
【００４５】
したがって、このカラー画像形成装置の場合も、図１に示した第１実施例の画像形成装置の場合と同様に、記録紙５を転写ドラム３５に密着させた状態で搬送しながら転写処理および定着処理を行なうことができるので、記録紙５上に転写されたカラートナー像の位置と選択加熱位置とがズレ難い。従って、熱エネルギーの損失を抑えながら高画質のカラー画像を得ることができる。
【００４６】
〔第４実施例〕
次に、この発明による画像形成装置の第４実施例について説明する。図４はその画像形成装置の要部を模式的に示す構成図であり、図１および図２と対応する部分には同一の符号を付している。
この画像形成装置は、４連タンデム方式で中間転写ベルトを使用するカラー画像形成装置である。その４個の作像部１Ｍ，１Ｃ，１Ｙ，１Ｋは、図２に示した第２実施例と上下が反対になっているが同じ構成である。そこで形成したマゼンタ、シアン、イエロー、およびブラックの各色のトナー像を記録紙５に直接転写せずに、接地ローラ４１と荷電ローラ４２の間に張装された中間転写ベルト４０（矢示Ｇ方向に回動する）の下面に順次重ねて転写する。
【００４７】
中間転写ベルト４０を張架する接地ローラ４１は接地され、荷電ローラ４２には負電圧が印加されて帯電付与手段の役目を兼ねている。
そして、レジストローラ４によって所定のタイミングで搬送部３に搬送される記録紙５が、搬送部３のローラ３２′と荷電ローラ４２に挟持されて負電位に帯電された記録紙５が、正電圧が印加されたローラ３２′によって正電位に帯電された転写ベルト３１に吸着されて、矢示Ｈ方向へ密着搬送される。そのときローラ３２′は転写ローラの機能をなし、中間転写ベルト４０上のカラートナー像を記録紙５上に一括転写させる。
【００４８】
そのカラートナー像が転写された記録紙５が搬送部３上の選択加熱位置Ｄを通過する際に、定着部２によって定着レーザ光Ｌ２が照射され、トナー像が転写されている領域が選択的に加熱されて定着される。
この実施例によっても、前述した各実施例と同様な作用効果が得られる。
【００４９】
〔第５実施例〕
図５は、この発明による画像形成装置の第５実施例の要部を模式的に示す構成図である。この画像形成装置は、図１におけるレジストローラ４を省略して、搬送部３の接地ローラ３２と、転写ベルト３１を挟んでそれと対向している荷電ローラ１７とによって、レジストローラの機能を兼ねている以外は、第１実施例と同じである。
【００５０】
この場合、記録紙５を待機させるときは、荷電ローラ１７の回転を停止させて固定し、記録紙５を押えてスリップさせるか、荷電ローラ１７を逆転させ記録紙５がニップ部に入らないようにする方法などをとる。
このようにすれば、荷電ローラ１７と接地ローラ３２とのニップ部と選択加熱位置Ｄとの距離ｘと、転写ベルト３１による搬送速度ｖから、記録紙５の搬送開始時点から定着部２による定着レーザ光Ｌ２の照射を開始するタイミングｔをｔ＝ｘ／ｖにより正確に算出することができる。その他の作用効果は、図１の第１実施例と同じである。
【００５１】
〔第６実施例〕
図６は、この発明による画像形成装置の第６実施例の要部を模式的に示す構成図である。この画像形成装置は、図２による第２実施例と同じ４連タンデム型のカラー画像形成装置であり、図２におけるレジストローラ４を省略して、搬送部３の接地ローラ３２と、転写ベルト３１を挟んでそれと対向している荷電ローラ１７とによって、レジストローラの機能を兼ねている以外は第１実施例と同じである。荷電ローラ１７と接地ローラとによるレジストローラの機能も図５によって上述した第５実施例と同様である。
【００５２】
〔第７実施例〕
図７は、この発明による画像形成装置の第７実施例の要部を模式的に示す構成図である。この画像形成装置は、図３による第３実施例と同じ転写ドラム方式のカラー画像形成装置であり、図３におけるレジストローラ４を省略して、転写ドラム３５と帯電付与手段である荷電ローラ１７とによってレジストローラの機能を兼ねている以外は、第３実施例と同じである。荷電ローラ１７と接地ローラとによるレジストローラの機能も図５によって上述した第５実施例と同様である。
【００５３】
〔第８実施例〕
次に、この発明による画像形成装置の第８実施例について、図８および図９によって説明する。図８はその画像形成装置の要部を模式的に示す図１と同様な構成図であり、図９はその転写ベルトと記録紙と記録紙検知センサの配置関係を示す模式的な平面図である。これらの図において、図１と同じ部分には同一の符号を付してあり、それらの説明は省略する。
【００５４】
この第８実施例では、密着搬送手段である搬送部３の転写ベルト３１の上側の幅方向の中央部で、荷電ローラ１７のすぐ下流側の所定位置に第１の用紙検知センサ２１を、定着部２による選択加熱位置Ｄのすぐ上流側の所定位置に第２の用紙検知センサ２２を配設している。これらの第１，第２の用紙検知センサ２１，２２としては、反射形フォトセンサを使用し、記録紙５の搬送方向に間隔Ｌだけ離れて配置されている。Ｖは転写ベルト３１による搬送速度を示す。
【００５５】
そして、レジストローラ４によって記録紙５が搬送部３へ搬送された後、第１の用紙検知センサ２１が記録紙５の先端の通過を検知したとき、感光体１１に対する書込レーザ光Ｌ１による画像の書き込みを開始し、第２の用紙検知センサ２２がその記録紙５の先端の通過を検知してから所定時間経過後に、定着部２が定着レーザ光Ｌ２を照射して記録紙５の画像部６を加熱して、そこに転写されているトナー像を定着する。
【００５６】
このとき、記録紙５上の画像部６と定着レーザ光Ｌ２を照射する領域とが一致するように、前述の所定時間を設定している。  この画像形成装置における画像部６と定着レーザ光Ｌ２の照射領域との位置ズレは、カラー画像の色ズレ精度と同等に近く、ブラス／マイナス１５０μｍ程度である。
この実施例において、第２の用紙検知センサ２２が定着部２の動作制御に必要な記録紙検知手段であり、第１の用紙検知センサ２１は画像の書き込みを開始を制御するための別の記録紙検知手段である。レジストローラ４を備えている場合は、第１の用紙検知センサ２１を設けなくてもよい。
【００５７】
〔第９実施例〕
図１０は、この発明による画像形成装置の第９実施例の要部を模式的に示す構成図であり、図２および図８と同じ部分には同じ符号を付し、それらの説明は省略する。
この実施例は、図２に示した４連タンデム型のカラー画像形成装置において、図８および図９に示した第８実施例と同様に第１，第２の用紙検知センサ２１，２２を設けたものである。その第１，第２の用紙検知センサ２１，２２による記録紙５の先端通過検知信号に基づく画像の書き込み開始および定着レーザ光Ｌ２の照射開始については、第８実施例と同様であり、その作用効果も同様である。
【００５８】
〔第１０実施例〕
図１１は、この発明による画像形成装置の第１０実施例の要部を模式的に示す構成図であり、図３および図８と同じ部分には同じ符号を付してあり、それらの説明は省略する。
この実施例は、図３に示した転写ドラムとリボルバタイプの現像装置を使用するカラー画像形成装置において、図８および図９に示した第８実施例と同様に第１，第２の用紙検知センサ２１，２２を転写ドラム３５の外周に近接して設けたものである。その第１，第２の用紙検知センサ２１，２２による記録紙５の先端通過検知信号に基づく画像の書き込み開始および定着レーザ光Ｌ２の照射開始については、第８実施例と同様であり、その作用効果も同様である。なお、この実施例では図３に示した第３実施例における転写ローラ１４を省略して、転写ドラム３５の支持体に電源Ｅ１によって正電圧を印加している。
【００５９】
〔第１１実施例〕
次に、この発明画像形成装置の第１１実施例について説明する。図１２はその画像形成装置の要部を模式的に示す構成図であり、図１と同じ部分には同じ符号を付してあり、それらの説明は省略する。
この実施例は、図１に示したモノクロの画像形成装置において、定着部２による選択領域加熱による定着工程で定着されず、記録紙上に残存する未定着のトナー（地肌部や異常画像に発生する）を回収する未定着トナー回収手段を設けたものである。
【００６０】
この実施例では、その未定着トナー回収手段として、未定着のトナーの帯電極性と逆極性の電圧が印加され、選択加熱位置Ｄよりも記録紙５の搬送方向下流側で記録紙５のトナー像が定着された面（図示の例では上面）に当接する当接部材を備え、記録紙上の未定着トナーを静電吸着して回収する手段を設けている。
これを図１２によって説明すると、搬送部３の後端に近接して、記録紙５のトナー像が定着された面（図では上面）に当接する当接部材として回転体である回収ローラ２６を設け、それに電源Ｅ６によって正（＋）電圧を印加している。この例では、未定着のトナーは負（−）に帯電しているので、その帯電極性と逆極性の正電圧を印加している。
【００６１】
この実施例ではさらに、回収ローラ２６に対して記録紙５を挟んで転接する加圧回転体である加圧ローラ２５を設け、それを接地している。また、回収ローラ２６の上部外周面に当接するブレード２７と図示しない回収容器も設け、記録紙５上から回収ローラ２６の外周面に静電吸着して回収した未定着トナーを、ブレード２７によって掻き取って回収容器へ収容する。
【００６２】
なお、記録紙５は転写部で転写ローラ１４によって正極性に帯電しているので、正電圧が印加された回収ローラ２６に巻き付くことはない。当接部材としての回転体は、回収ローラ２６に代えて無端ベルトにしてもよい。また、加圧回転体である加圧ローラ２５は、表面にフッ素樹脂を被覆した金属ローラが望ましい。
【００６３】
この実施例ではさらに、この未定着トナー回収手段の回収ローラ２６よりも記録紙搬送方向の上流側に、転写ローラ１４等の転写手段によって転写された記録紙上のトナーを同一極性（この例では負極性）に帯電させる帯電手段としてチャージャ２４とそれに負電圧を印加する電源Ｅ５とを設けている。このチャージャ２４に印加する電圧は、現像装置１３でのトナーの帯電極性と同じ極性にすればよい。
【００６４】
これは、現像および転写後のトナーの極性は一定しているとは限らず、少量ではあるが逆極性のトナーも混在しているため、転写後のトナーを同一極性に帯電させることによって、その帯電極性と逆極性の電圧が印加された回収ローラ２６によって、未定着トナーを一層確実に吸着して回収できるようにするためである。
この実施例によれば、排出された記録紙に未定着のトナーが残ることがなく、利用者の手や衣服を汚したり、画質を低下させたりする恐れがなくなる。
【００６５】
〔第１２実施例〕
図１３は、この発明による画像形成装置の第１２実施例の要部を模式的に示す構成図であり、図２および図１２と同じ部分には同じ符号を付し、それらの説明は省略する。
この実施例は、図２に示した４連タンデム型のカラー画像形成装置において、図１２に示した第１１実施例と同様に、未定着トナー回収手段として回収ローラ２６と電源Ｅ６、加圧ローラ２５、およびブレード２７を設け、帯電手段としてチャージャ２４と電源Ｅ５を設けたものであり、その作用効果も第１１実施例と同様である。
【００６６】
〔第１３実施例〕
図１４は、この発明による画像形成装置の第１３実施例の要部を模式的に示す構成図であり、図３および図１２と対応する部分には同じ符号を付し、それらの説明は省略する。
この実施例は、図３に示した転写ドラムとリボルバタイプの現像装置を使用するカラー画像形成装置において、図１２に示した第１１実施例と同様に、未定着トナー回収手段として回収ローラ２６と電源Ｅ６、加圧ローラ２５、およびブレード２７を設け、帯電手段としてチャージャ２４と電源Ｅ５を設けたものであり、その作用効果も第１１実施例と同様である。
【００６７】
〔第１４実施例〕
図１５は、この発明による画像形成装置の第１４実施例の要部を模式的に示す構成図であり、図４および図１２と対応する部分には同じ符号を付し、それらの説明は省略する。
この実施例は、図４に示した中間転写ベルトを使用する４連タンデム式のカラー画像形成装置において、図１２に示した第１１実施例と同様に未定着トナー回収手段を設けているが、それは密着搬送手段である搬送部３の搬送部材を兼ねた転写ベルト３１上の選択加熱位置Ｄより下流側に設けている。
【００６８】
すなわち、図１５に示すように、搬送部３の後端の接地ローラ３３と転写ベルト３１を挟んで対向する位置に回収ローラ２６を、転写ベルト３１に密着して矢示Ｈ方向に搬送される記録紙５のトナー像が定着された面に転接するように設け、その回収ローラ２６に電源Ｅ６によってトナーの帯電極性と逆極性の正電圧を印加している。さらに、その回収ローラ２６の外周面に摺接するブレード２７も設けている。そして、転写ベルト３１を張架する接地ローラ３３を加圧ローラに兼用している。
【００６９】
このようにすれば、上述した第１１〜１３実施例と同様に記録紙上の未定着トナーを回収して、記録紙上に残さないようにできる。しかも、加圧ローラを別に設けずにすみ、搬送部３上に回収ローラ２６等を設けるので、小型化と低コスト化を図ることができる。
また、この実施例では、中間転写べルト４０上（図１６では下面）に近接して、４連の作像部１Ｍ，１Ｃ，１Ｙ，１Ｋの下流側に、電源Ｅ５によって負電圧が印加されたチャージャ２４を配置し、転写手段によって転写されたトナーを同一極性（この例では負極性）に帯電させるようにして、回収ローラ２６による未定着トナーの回収効率を高めている。
【００７０】
〔第１５実施例〕
図１６は、この発明による画像形成装置の第１５実施例の要部を模式的に示す構成図であり、図１および図１２と同じ部分には同じ符号を付し、それらの説明は省略する。
この実施例は、図１２に示した第１１実施例と同様に図１に示したモノクロ画像形成装置に未定着トナー回収手段を設けたものであるが、その回収ローラ２６を密着搬送手段である搬送部３の接地ローラ３３と転写ベルト３１を挟んで対向する位置に設け、接地ローラ３３を加圧ローラに兼用している。そして、図１２の第１１実施例で設けていたチャージャ２４と電源Ｅ５を省略している。
このようにしても、第１１実施例と同様に記録紙５上の未定着トナーを回収することができ、しかも小型化と低コスト化を図ることができる。
【００７１】
〔第１６実施例〕
図１７は、この発明による画像形成装置の第１６実施例の要部を模式的に示す構成図であり、図２および図１３と同じ部分には同じ符号を付し、それらの説明は省略する。
この実施例は、図１３に示した第１２実施例と同様に図２に示した４連タンデム型のカラー画像形成装置に未定着トナー回収手段を設けたものであるが、その回収ローラ２６を密着搬送手段である搬送部３の接地ローラ３３と転写ベルト３１を挟んで対向する位置に設け、接地ローラ３３を加圧ローラに兼用している。そして、図１３の第１２実施例で設けていたチャージャ２４と電源Ｅ５を省略している。
このようにしても、第１２実施例と同様に記録紙５上の未定着トナーを回収することができ、しかも小型化と低コスト化を図ることができる。
【００７２】
〔第１７実施例〕
図１８は、この発明による画像形成装置の第１７実施例の要部を模式的に示す構成図であり、図３および図１４と同じ部分には同じ符号を付し、それらの説明は省略する。
この実施例は、図１４に示した第１３実施例と同様に図３に示した転写ドラムとリボルバタイプの現像装置を使用するカラー画像形成装置に未定着トナー回収手段を設けたものであるが、その回収ローラ２６を密着搬送手段である搬送部３の接地ローラ３６と転写ドラム３５を挟んで対向する位置に設け、接地ローラ３６を加圧ローラに兼用している。そして、図１４の第１３実施例で設けていたチャージャ２４と電源Ｅ５を省略している。
【００７３】
このようにしても、第１２実施例と同様に記録紙５上の未定着トナーを回収することができ、しかも小型化と低コスト化を図ることができる。
なお、この実施例でも図３の第３実施例におけるレジストローラ４を省略して、荷電ローラ１７をレジストローラに兼用し、転写ローラ１４も省略して転写ドラム３５の支持体に電源Ｅ１によって正電圧を印加している。このようにすることにより、一層小型化と低コスト化を図っている。
【００７４】
〔第１８実施例〕
次に、この発明による画像形成装置の第１８実施例について説明する。図１９は、その画像形成装置の要部を模式的に示す構成図であり、図１２と同じ部分には同じ符号を付し、それらの説明は省略する。また、図２０は図１９における転写ベルトと記録紙と画像パターンとパターン検知センサの配置関係を示す模式的な平面図であり、図９と同じ部分には同一の符号を付し、それらの説明も省略する。
【００７５】
この実施例では、図１２の第１１実施例と同様にモノクロ画像形成装置に未定着トナー回収手段を構成する回収ローラ２６と加圧ローラ２５などを設けているが、チャージャ２４と電源Ｅ５は省略している。
そして、密着搬送手段である搬送部３のの搬送部材を兼ねた転写ベルト３１上の通紙域外となる部位に、図２０に示すように所定の画像パターン７を設けている。また、搬送部３の固定部における転写ローラ１４による転写位置Ｐと定着部２による選択加熱位置Ｄとの間に、その画像パターン７を検知する画像パターン検知手段である画像パターン検知センサ２３を設けている。定着部２は、その画像パターン検知センサ２３が画像パターン７を検知してから所定時間経過後に、定着部２が定着レーザ光Ｌ２を照射して転写ベルト３１に密着して搬送される記録紙５を加熱する。
【００７６】
その所定時間ｔは、図２０に示す画像パターン７と記録紙５上の画像部６の先端までのの距離Ｌｓと転写ベルト３１の移動速度ｖ、および画像パターン検知センサ２３の位置と選択加熱位置Ｄとの間隔αとから、ｔ＝（Ｌｓ＋α）／ｖによって算出される。これによって、定着レーザ光の照射領域と記録紙５上の画像部６との位置ズレ精度は、カラー画像形成装置の色ズレ精度と同等に近くなる。
前記画像パターン検知手段を、前記転写手段による転写位置と前記定着手段による選択加熱位置との間に設けたことを特徴とする画像形成装置。
【００７７】
〔第１９実施例〕
図２１はこの発明による画像形成装置の第１９実施例の図２０と同様な模式的平面図である。この実施例は前述の第１８実施例の変形例であり、転写ベルト３１上の所定の画像パターン７を転写ベルト３１の幅方向の中央部における記録紙間となる部位に形成しており、画像パターン検知センサ２３もそれに合わせて、搬送部３の幅方向の中央部に設けた点だけが、第１８実施例と相違する。その他の構成および作用効果は、第１８実施例と同様であるので、その説明は省略する。
【００７８】
〔その他の実施例〕
その他に、前述の第１乃至第７実施例、第１２乃至第１７実施例にも、上述した第１８実施例又は第１９実施例と同様に、所定の画像パターン７とそれを検知する画像パターン検知センサ２３を設け、その画像パターン検知センサ２３が画像パターン７を検知してから所定時間経過後に、定着部２が定着レーザ光Ｌ２を照射して記録紙５上の画像部６を選択加熱するようにしてもよい。
【産業上の利用可能性】
【００７９】
以上説明してきたように、この発明によれば、画像形成装置において記録紙上のトナー像が転写された部分だけを正確に選択加熱してトナー像を確実に定着し、高画質の画像が得られるとともに、定着処理の熱効率を上げ、無駄なエネルギーの消費を大幅に低減することができる。したがって、この発明は、電子写真方式の複写機，プリンタ，ファクシミリ（ＦＡＸ）装置，デジタル複合機などの各種画像形成装置に適用して極めて有効である。
【図面の簡単な説明】
【００８０】
【図１】この発明による画像形成装置の第１実施例の要部を模式的に示す構成図である。
【図２】この発明による画像形成装置の第２実施例の要部を模式的に示す構成図である。
【図３】この発明による画像形成装置の第３実施例の要部を模式的に示す構成図である。
【図４】この発明による画像形成装置の第４実施例の要部を模式的に示す構成図である。
【図５】この発明による画像形成装置の第５実施例の要部を模式的に示す構成図である。
【００８１】
【図６】この発明による画像形成装置の第６実施例の要部を模式的に示す構成図である。
【図７】この発明による画像形成装置の第７実施例の要部を模式的に示す構成図である。
【図８】この発明による画像形成装置の第８実施例の要部を模式的に示す構成図である。
【図９】図８における転写ベルトと記録紙と記録紙検知センサの配置関係を示す模式的な平面図である。
【図１０】この発明による画像形成装置の第９実施例の要部を模式的に示す構成図である。
【００８２】
【図１１】この発明による画像形成装置の第１０実施例の要部を模式的に示す構成図である。
【図１２】この発明による画像形成装置の第１１実施例の要部を模式的に示す構成図である。
【図１３】この発明による画像形成装置の第１２実施例の要部を模式的に示す構成図である。
【図１４】この発明による画像形成装置の第１３実施例の要部を模式的に示す構成図である。
【図１５】この発明による画像形成装置の第１４実施例の要部を模式的に示す構成図である。
【００８３】
【図１６】この発明による画像形成装置の第１５実施例の要部を模式的に示す構成図である。
【図１７】この発明による画像形成装置の第１６実施例の要部を模式的に示す構成図である。
【図１８】この発明による画像形成装置の第１７実施例の要部を模式的に示す構成図である。
【図１９】この発明による画像形成装置の第１８実施例の要部を模式的に示す構成図である。
【図２０】図１９における転写ベルトと記録紙と画像パターンとパターン検知センサの配置関係を示す模式的な平面図である。
【図２１】同じくその変形例を示す模式的な平面図である。
【符号の説明】
【００８４】
１，１Ｍ，１Ｃ，１Ｙ，１Ｋ：作像部    ２：定着部（定着手段）    ３，６：搬送部（密着搬送手段）    ４：レジストローラ    ５：記録紙    ６:画像部    ７：画像パターン    １１：感光体    １２：帯電ローラ    １３，１６：現像装置    １４：転写ローラ（転写手段）    １５：クリーニング装置    １７：荷電ローラ（帯電付与手段）
２１：第１の用紙検知センサ（別の記録紙検知手段）    ２２：第２の用紙検知センサ（記録紙検知手段）    ２３：画像パターン検知センサ    ２４：チャージャ（帯電手段）    ２５：加圧ローラ（加圧回転体）    ２６：回収ローラ（回転体）    ２７：ブレード
３１：転写ベルト（搬送部材）    ３２，３３：接地ローラ    ３２′：ローラ（転写ローラ）    ３５：転写ドラム（搬送部材）    ３６:接地ローラ    ４０：中間転写ベルト    ４１：接地ローラ    ４２：荷電ローラ（帯電付与手段）    Ｌ１，ＬＭ，ＬＣ，ＬＹ，ＬＫ：書込レーザ光  Ｌ２：定着レーザ光    Ｅ１，Ｅ２，Ｅ３，Ｅ４，Ｅ５，Ｅ６：電源    Ｐ：転写位置    Ｄ：選択加熱位置
【図１】
2005099320.tif 000003
【図２】
2005099320.tif 000004
【図３】
2005099320.tif 000005
【図４】
2005099320.tif 000006
【図５】
2005099320.tif 000007
【図６】
2005099320.tif 000008
【図７】
2005099320.tif 000009
【図８】
2005099320.tif 000010
【図９】
2005099320.tif 000011
【図１０】
2005099320.tif 000012
【図１１】
2005099320.tif 000013
【図１２】
2005099320.tif 000014
【図１３】
2005099320.tif 000015
【図１４】
2005099320.tif 000016
【図１５】
2005099320.tif 000017
【図１６】
2005099320.tif 000018
【図１７】
2005099320.tif 000019
【図１８】
2005099320.tif 000020
【図１９】
2005099320.tif 000021
【図２０】
2005099320.tif 000022
【図２１】
2005099320.tif 000023